(57)【特許請求の範囲】
【請求項１】
第一のセル及び第二のセルを提供する基地局あるいはシステム内のＲＲＭ（Radio  Resource  Management）エンティティは、第一のセル及び第二のセルがユーザー機器に共同で送信する制御チャネルのサーチ空間の位置間の限られた関係を設定し、該関係に関する情報を前記ユーザー機器にＲＲＣシグナリングによって通知し、
ユーザ機器は少なくとも第１及び第２のセルからダウンリンク信号を受信し、前記ダウンリンク信号は、
前記セルの各々から送信されるそれぞれの参照信号、
前記セルにより共同送信される少なくとも一つの制御チャネル又は制御チャネルの一部、
を有し、
前記ユーザ機器は、前記ＲＲＣシグナリングによって通知された前記制御チャネルのサーチ空間の位置間の限られた関係に関する情報、および、前記それぞれの参照信号から得た共同振幅／位相基準を用い、前記共同送信されたチャネルを復調する、無線通信方法。
【請求項２】
前記共同送信されるチャネルは、同一のチャネルが両方のセルにより個別に送信される場合に、両方のセルにより共通に用いられるリソースのみを用いて、前記セルにより送信される、請求項１に記載の無線通信方法。
【請求項３】
前記共同送信されるチャネルは、少なくとも１つの制御チャネル又は制御チャネルの一部を含む、請求項１に記載の無線通信方法。
【請求項４】
ＬＴＥに基づく無線通信システムで用いられ、前記少なくとも１つの制御チャネルはＰＤＣＣＨ及び／又はＰＨＩＣＨである、請求項３に記載の無線通信方法。
【請求項５】
前記それぞれの参照信号の各々は、前記セルのうちの対応する１つと関連付けられ、１つより多いセルからの前記参照信号の結合は、新しいセルを定める、請求項１に記載の無線通信方法。
【請求項６】
前記セルの各々及び前記新しいセルは、異なるセル識別子を有する、請求項５に記載の無線通信方法。
【請求項７】
前記共同送信されるチャネルは、データチャネルを含む、請求項１に記載の無線通信方法。
【請求項８】
前記セルのうちの少なくとも１つは、複数の関連するアンテナポートを有し、該セルに関連付けられた各参照信号は、前記アンテナポートのうちの１つから送信される、請求項１に記載の無線通信方法。
【請求項９】
前記第１及び第２のセルのうちの一方から送信されるダウンリンク信号は、前記第１及び第２のセルのうちの他方から送信される参照信号との干渉を回避するよう構成される、請求項１に記載の無線通信方法。
【請求項１０】
前記第１及び第２のセルは、同一の基地局機器により提供される、請求項１に記載の無線通信方法。
【請求項１１】
前記第１及び第２のセルは、それぞれの基地局機器により提供され、前記方法は、前記共同送信されるチャネルを協調させるために、前記それぞれの基地局機器間でシグナリングを行うステップ、を更に有する、請求項１に記載の無線通信方法。
【請求項１２】
前記共同送信されるチャネルの送信の前に、前記共同送信されるチャネルに関する情報を前記ユーザ機器に伝達するステップ、を更に有する請求項１に記載の無線通信方法。
【請求項１３】
請求項１に記載の無線通信方法で用いられ、前記第１及び第２のセルのうちの少なくとも１つを提供するよう構成される、基地局機器。
【請求項１４】
請求項１に記載の無線通信方法で用いられ、１より多いセルからのそれぞれの参照信号から共同振幅及び／又は位相基準を得て、前記共同送信されるチャネルを復調するよう構成される、ユーザ機器。
【請求項１５】
１又は複数の基地局であって、前記基地局は、第１及び第２のセルを提供し、第一のセル及び第二のセルがユーザー機器に共同で送信する制御チャネルのサーチ空間の位置間の限られた関係を設定し、該関係に関する情報を前記ユーザー機器にＲＲＣシグナリングによって通知し、前記セルの各々から送信されるそれぞれの参照信号と、少なくとも一つの制御チャネル又は制御チャネルの一部とが、前記セルにより共同送信されるように構成される、１又は複数の基地局、
ユーザ機器であって、前記ＲＲＣシグナリングによって通知された前記制御チャネルのサーチ空間の位置間の限られた関係に関する情報、および、前記第１及び第２のセルから得た前記それぞれの参照信号から共同振幅及び／又は位相基準を用い、前記共同送信されたチャネルを復調するよう構成される、ユーザ機器、
を有する無線通信システム。
【請求項１６】
無線通信システム内の通信装置のプロセッサにより実行されると、該装置に、請求項１３に記載の基地局機器又は請求項１４に記載のユーザ機器を提供させるコンピュータ可読命令を有する非一時的コンピュータ可読記録媒体。
【発明の詳細な説明】
【技術分野】
【０００１】
本発明は、無線通信システム、例えば３ＧＰＰ  ＬＴＥ（Long  Term  Evolution）及び３ＧＰＰ  ＬＴＥ−Ａ規格群に基づくシステムに関する。
【背景技術】
【０００２】
基地局（ＢＳ）が該基地局の範囲内にあるユーザ機器（ＵＥ）（加入者局又は移動局とも称される）と通信する無線通信システムは、広く知られている。
【０００３】
１つの基地局によりカバーされる地理的領域は一般的にセルと呼ばれ、標準的には多くのＢＳは適切な場所に設けられ、広範な地理的領域を事実上、隣接する及び／又は重なり合うセルでシームレスにカバーする。（本願明細書では、用語「システム」及び「ネットワーク」は、同意語として用いられる。）より高度なシステムでは、セルの概念は違った方法で、例えば、あるセルを他のセルと区別するために用いることができる関連付けられた識別子とともに、（キャリア中心周波数の周辺の所与の帯域幅のような）無線リソースセットを定めるために、用いられ得る。セル識別子は、例えば、スクランブルコード、拡散符号及びホッピングシーケンスのような、セルに関連する通信チャネルの幾つかの伝送特性を決定するときに用いることができる。セルは、セルに関連する１以上の通信チャネルを受信するための振幅及び／又は位相の基準を提供することを目的とする１以上の参照信号（以下を参照）に関連付けられても良い。したがって、送信又は受信が実際には基地局により行われるとしても、（ダウンリンクで）セルから又はセルにより送信されている又は（アップリンクで）セルへ送信されている、セルに関連する通信チャネルを表すことが可能である。標準的に、ＦＤＤシステムでは、ダウンリンクセルは、対応するアップリンクセルにリンク付けられ又は関連付けられる。しかしながら、留意すべきことに、原則的には、セルを明示的に定めることなく、セルの様な特徴を有する通信システムを編成することが可能である。例えば、明示的なセル識別子は、全ての場合に必要ではない。
【０００４】
各ＢＳは、自身の利用可能帯域幅、つまり所与のセルの周波数及び時間リソースを、自身が供するユーザ機器のために個々のリソース割り当てに分ける。ユーザ機器は、一般的にモバイルなので、セル間を移動し、隣接セルの基地局間の無線通信リンクのハンドオーバの必要を生じさせる。ユーザ機器は、同時に幾つかのセルの範囲内に存在するが（つまり、幾つかのセルからの信号を検出できるが）、最も単純な例では、ユーザ機器は１つの「サービング」セルと通信する。幾つかの目的で、ＢＳは、「アクセスポイント」又は「送信点」としても記載される。
【０００５】
ＬＴＥ及びＬＴＥ−Ａのような最新の無線通信システムは、非常に複雑であり、それらの動作の完全な説明は、本願明細書の範囲外である。しかしながら、後述する本発明の概念の理解を助けるために、本発明に特に関連のあるＬＴＥの幾つかの特徴の特定の概要を提供する。
【０００６】
＜ＯＦＤＭ及びＯＦＤＭＡ＞
ＯＦＤＭ（Orthogonal  Frequency  Division  Multiplexing：直交周波数分割多重）は、無線通信システムでデータを伝送する１つの知られている技術である。ＯＦＤＭに基づく通信スキームは、送信すべきデータシンボルを多数のサブキャリアに分ける。これは、周波数分割多重と称される。データは、その位相、振幅又は位相及び振幅の両方を調整することにより、サブキャリアに変調される。ＯＦＤＭという名称の「直交」の部分は、周波数領域におけるサブキャリアの間隔が、数学的意味で、他のサブキャリアと直交するように選択されるという事実を表す。言い換えると、それらは、周波数軸に沿って配置され、隣接サブキャリアの再度バンドが重なり合うがサブキャリア間の干渉を有しないで受信できるようにする。ユーザ機器が僅かに異なるタイミングで、言い換えると特定の遅延拡散で、同じ信号を受信するので、各ＯＦＤＭシンボルはサイクリックプレフィックス（ＣＰ）に先導され、ＣＰはシンボル間干渉を効率的に除去するために用いられる。さらに、ＯＦＤＭは、適切なサイクリックプレフィックス設計（以下を参照）を有する同期した単一周波数ネットワークでブロードキャストサービスを可能にする。これは、異なるセルからのブロードキャスト信号を無線で結合させるので、ブロードキャストサービスの受信信号電力及び対応可能なデータレートを有意に向上させる。
【０００７】
個々のサブキャリア又はサブキャリアセットが異なるユーザ機器に割り当てられるとき、結果として、ダウンリンクの、言い換えると基地局からユーザ機器への通信のための、ＬＴＥ及びＬＴＥ−Ａで用いられるような、ＯＦＤＭＡ（Orthogonal  Frequency  Division  Multiple  Access：直交周波数分割多重アクセス）と称される多重アクセスシステムをもたらす。異なる周波数／時間リソースをセル内の各ユーザ機器に割り当てることにより、ＯＦＤＭＡは、所与のセル内でサービスを供されているユーザ間の干渉を実質的に回避することができる。
【０００８】
ＯＦＤＭＡでは、ユーザ（ＬＴＥではＵＥと称される）は、所定の時間量の間、特定数のサブキャリアに割り当てられる。サブキャリア及びＯＦＤＭシンボルのセット数を有するリソース量は、ＬＴＥではリソースブロック（ＲＢ）と称される。したがって、ＲＢは時間及び周波数の２つの次元を有する。ＲＢの割り当ては、基地局（ＬＴＥに基づくシステムではｅＮｏｄｅＢ）におけるスケジューリング機能により処理される。
【０００９】
ＬＴＥでは、各ｅＮｏｄｅＢは、複数のアンテナを有し、同一周波数で同時に複数のセルに供し得る。１つのｅＮｏｄｅＢは、１以上のＢＳを有すると考えられる。さらに、別個のアップリンク及びダウンリンクセルが存在する（本願明細書の残りの部分では、用語「セル」は、少なくとも１つのダウンリンクセルを意味するとする）。ちなみに、無線ネットワークは、ＬＴＥでは「Ｅ−ＵＴＲＡＮ」（Evolved  UMTS  Terrestrial  Radio  Access  Network）と称される。ｅＮｏｄｅＢは、バックホールネットワーク、例えばコアネットワーク又はＥＰＣ（Evolved  Packet  Core）により、互いに及び上位ノードに接続される。
【００１０】
＜フレーム構造及びリソースブロック＞
ＬＴＥのような無線通信システムでは、ダウンリンクで送信するデータは、それぞれ多数のサブフレームに分けられるＯＦＤＭＡフレームに編成される。種々のフレーム種類が可能であり、例えばＦＤＤとＴＤＤとの間で異なる。１つフレームの直後に他のフレームが連続的に続き、各フレームは、システムフレーム番号（ＳＦＮ）を与えられる。
【００１１】
図１は、ダウンリンクに適用可能な一般的なＬＴＥのフレーム構造を示す。図１では、１０ｍｓフレームが０．５ｍｓの均等な大きさの２０個のスロットに分けられている。１つのサブフレームＳＦは、２つの連続するスロットを有するので、１つの無線フレームは１０個のサブフレームを有する。
【００１２】
利用可能なダウンリンク帯域幅は、ｆ＝１５ｋＨｚの間隔を有するＮＢＷ個のサブキャリアを有する。複数セルのＭＢＭＳ送信（後述する）の場合には、ｆ＝７．５ｋＨｚの間隔のサブキャリアが可能である。ＮＢＷは、最大２０ＭＨｚまでの拡張可能なシステム帯域幅動作を可能にするために変化し得る。
【００１３】
図２は、１つのダウンリンクスロットの期間の所謂ダウンリンクリソースグリッドを示す。１つのダウンリンクスロットは、一般にＮｓｙｍｂ個のＯＦＤＭシンボルを有する。各シンボルには、図１に示すように上述のサイクリックプレフィックス（ＣＰ）が保護時間として付加される。
【００１４】
Ｎｓｙｍｂは、サイクリックプレフィックス長に依存する。通常のサイクリックプレフィックス長を有する一般的なフレーム構造は、図２に示すように、Ｎｓｙｍｂ＝７個のシンボルを有する。さらに、大きな遅延拡散を有する大きなセルの状況をカバーするために、及びＭＢＭＳ送信（後述する）のために、拡張ＣＰが定められる。
【００１５】
図２に示すように、各スロットの送信信号は、サブキャリア及び利用可能なＯＦＤＭシンボルのリソースグリッドにより記述される。リソースグリッド内の各要素は、リソースエレメント（ＲＥ）と称され、各リソースエレメントは１つのシンボルに対応する。
【００１６】
ＯＦＤＭＡは、前述のように、複数のＵＥによる利用可能な帯域幅へのアクセスを可能にする。各ＵＥは、特定の時間周波数リソースを割り当てられる。データチャネルは共有チャネルである。つまり、１ｍｓの各送信時間間隔で、この送信時間間隔中にどのＵＥがどの時間／周波数リソースに割り当てられるかに関する新しいスケジューリング決定が行われる。ＵＥへのリソース割り当ての基本スケジューリング単位は、リソースブロック（ＲＢ）と称される。図２に示すように、１つのリソースブロックは、時間領域の７個の連続するＯＦＤＭシンボル（又は６個のＯＦＤＭシンボルと拡張ＣＰ）及び周波数領域の１２個の連続するサブキャリアとして定められる。１つのＯＦＤＭシンボル内のサブキャリア数は、１２８、２５６、５１２、１０２４、１５３６及び２０４８のうちの１つであり得る。リソースブロックのサイズは、全てのシステム帯域幅で同じである。したがって、利用可能な物理的リソースブロックの数は、帯域幅に依存する。
【００１７】
幾つかのリソースブロックは同じＵＥに割り当てられ、これらのリソースブロックは、互いに隣接する必要はない。スケジューリング決定は、基地局（ｅＮｏｄｅＢ）で行われる。スケジューリングアルゴリズムは、異なるＵＥの無線リンク品質の状況、全体的な干渉の状況、サービス品質要件、サービス特性、等を考慮しなければならない。
【００１８】
＜参照信号＞
ＵＥによる無線リンク特性の測定、及び幾つかの送信チャネルの受信を実現するために、ｅＮｏｄｅＢの各アンテナ又はより正確には「アンテナポート」から送信されるときに、ダウンリンクサブフレームに参照信号が埋め込まれる。複数の物理アンテナは同一信号のコピーを送信することが可能であり、したがって単一のアンテナポートとして動作するので、用語「アンテナポート」は複数のアンテナからの送信を表すときに望ましい。
【００１９】
したがって、ＬＴＥで２つの送信アンテナポートがある場合、参照信号は各アンテナポートから送信される。第２のアンテナの参照信号は、周波数領域で３サブキャリアだけずれており、ＵＥに無線リンク特性を正確に測定させる。参照信号の同じ時間周波数位置では、他方のアンテナでは何も送信されない。
【００２０】
参照信号は、ＵＥに残りのダウンリンク送信を正確に復号化させるために、振幅及び／又は位相の基準を提供する。ＬＴＥでは（ＬＴＥ−Ａは除外して）、参照信号は、セル固有（又は共通）参照信号（ＣＲＳ）、ＭＢＭＳで用いられるＭＢＳＦＮ参照信号、及びユーザ機器固有参照信号（ＵＥ固有ＲＳ）に分類できる。
【００２１】
ＣＲＳは、セル内の全てのＵＥに送信され、チャネル推定のために用いられる。参照信号シーケンスは、ダウンリンクセル帯域幅全体に渡り、セル識別子又は「セルＩＤ」に依存するか又はそれを自動的に運ぶ。セルは、１より多いアンテナポートを有するｅＮｏｄｅＢにより供されるので、個々のＣＲＳはアンテナポート毎に設けられ、ＣＲＳの位置はアンテナポートに依存する。ＣＲＳの数及び位置は、アンテナポートの数のみに依存するのではなく、使用中のＣＰの種類にも依存する。
【００２２】
ＭＢＳＦＮ参照信号は、ＭＢＳＦＮ送信（後述する）のために割り当てられたサブフレーム内で送信できる。
【００２３】
ＵＥ固有参照信号は、セル内の特定のＵＥ又は特定のＵＥグループにより受信される。ＵＥ固有参照信号は、主に、セル内の特定のＵＥ又は特定のＵＥグループにより、データ復調の目的で用いられる。
【００２４】
ＣＲＳは、非ＭＢＳＦＮ送信に対応するセル内の全てのサブフレームで送信される。サブフレームがＭＢＳＦＮでの送信に用いられる場合、サブフレーム内の最初の数個の（０、１、又は２個の）ＯＦＤＭシンボルのみが、セル固有参照シンボルの送信に用いることができる。
【００２５】
ＣＲＳは、ＵＥに割り当てられた特定の時間／周波数リソースに無関係に、ｅＮｏｄｅＢによりカバーされるセル内の全てのＵＥによりアクセス可能である。それらは、ＵＥにより、チャネル品質指標、ＣＱＩのようなパラメータに関する無線チャネル特性、所謂チャネル状態情報又はＣＳＩを測定するために用いられる。
【００２６】
ＬＴＥ−Ａ（LTE-Advanced）は、チャネル状態情報参照信号ＣＳＩ−ＲＳ及びＵＥ固有復調参照信号ＤＭ−ＲＳを含む更なる参照信号を導入する。ＵＥ固有復調参照信号ＤＭ−ＲＳは、ＵＥによりアップリンクで送信される復調参照信号とは異なる。これらの追加信号は、後述するビーム形成及びＭＩＭＯ送信技術のための特定の用途を有する。
【００２７】
＜リソースエレメントグループ（ＲＥＧ）＞
リソースエレメントグループ（ＲＥＧ）は、同一ＯＦＤＭシンボル内の連続するＲＥのブロックである。それらは、制御チャネルのリソースエレメントへのマッピング（後述する）を定めるために用いられる。各サブフレーム内で、ＲＥＧは、最初の数個（通常は４個）のシンボル内に位置し、全てのサブフレーム内で同じパターンを有する。
【００２８】
図３は、１つのＲＢの最初の４個のシンボル内のＲＥＧとＲＥとの間の関係を示す。図３以降では、シンボルは水平軸に沿って配置され、サブキャリアは垂直軸に沿って配置される。ここで、簡単のために最初の数個のシンボルのみが示されるが、図２に示したように、各サブフレームは実際にはそれぞれＮｓｙｍｂ個のシンボルを有する１０個のスロットを有することが理解されるだろう。
【００２９】
各ＲＥＧは、インデックスペア（ｋ’，ｌ’）により表される。ここで、ｋ’はＲＥＧ内の「最初の」ＲＥのサブキャリアインデックス（本例では番号０で開始する）であり、ｌ’はＲＥＧのシンボルインデックス（再び０から開始する）である。図３では、Ａ、Ｂ、Ｃ及びＤの各々は、個々のＲＥＧに割り当てられたＲＥを示す。図から明らかなように、各ＲＥＧは４個のＲＥを有する。
【００３０】
より具体的には、図４、５に示すように、各ＲＥＧは、未だＣＲＳにより占有されていない４個のＲＥを有する。ここで、図４は通常のＣＰの場合を示し、図５は拡張ＣＰの場合を示す。両図とも、１又は２個のアンテナポート構成の場合を想定している。ここに示すように、最初の４個のシンボル内の全てのＲＥは、ＲＥＧに割り当てられるので、ＲＥＧの境界はＣＲＳが位置する場所に依存する。
【００３１】
より詳細には、図４に示すように、例えば、ＣＲＳは（インデックス０で番号付けされた）最初のシンボル内に存在する。各ＲＥＧは４個の占有されていないＲＥを必要とするので、１つのＲＢの最初のシンボル内の１２個のＲＥは２個のＲＥＧを形成する。２番目及び３番目のシンボル（インデックス１及び２）では、（このアンテナポート構成では）ＣＲＳが存在しないので、各シンボルは３個のＲＥＧを有し得る。
【００３２】
４（又はそれより多い）アンテナポート構成の場合には、ＣＲＳが２番目のシンボルに拡張される点、したがって、そのシンボル内でＲＢ当たり２個のＲＥＧのみが利用可能である点を除いて同様の構成である。
【００３３】
拡張ＣＰが用いられるとき、（１４個ではなく）１２個のシンボルのみが各サブフレームに含まれる。このため、ＣＲＳが、最初のシンボル内と同様に４番目のシンボル内に置かれる必要がある。図５に、ＲＥＧへのＲＥ割り当ての効果を示す。今度は、４番目のシンボル内で、ＲＢ当たり２個のＲＥＧのみが定められることが異なる。
【００３４】
＜チャネル＞
データ及び制御シグナリングのための幾つかのチャネルは、ネットワーク内の種々の抽象化レベルで定められる。図６は、ＬＴＥで、各論理レベル、トランスポート層レベル及び物理層レベルで定められた一部のチャネル、並びにそれらの間のマッピングを示す。本発明の目的のために、物理層レベルのチャネルが最も重要である。
【００３５】
ダウンリンクで、ユーザデータはＰＤＳＣＨ（Physical  Downlink  Shared  Channel）で運ばれる。ダウンリンクには種々の制御チャネルが存在し、上述のＲＲＭの一部として用いられるプロトコルである所謂ＲＲＣ（Radio  Resource  Control）を含む種々の目的でシグナリングを伝達する。特に、ＰＤＣＣＨ（Physical  Downlink  Control  Channel）（後述する）である。
【００３６】
一方で、アップリンクでは、ユーザデータ及び特定のシグナリングデータはＰＵＳＣＨ（Physical  Uplink  Shared  Channel）で伝達される。また、制御チャネルは、ＣＱＩ（channel  quality  indication）レポート、ＰＭＩ（precoding  matrix  information）、ＭＩＭＯのランク指標（後述する）及びスケジューリング要求を含むＵＥからのシグナリングを伝達するために用いられるＰＵＣＣＨ（Physical  Uplink  Control  Channel）を有する。
【００３７】
＜ＰＤＣＣＨ、ＰＣＦＩＣＨ、ＰＨＩＣＨ＞
本発明で特別に関心のある３個の制御チャネルは、ＰＤＣＣＨ、ＰＣＦＩＣＨ、ＰＨＩＣＨである。
【００３８】
ＰＤＣＣＨは、ダウンリンク制御情報ＤＣＩと呼ばれるスケジューリング情報を、基地局（ＬＴＥではｅＮｏｄｅＢと称される）から個々のＵＥへ伝達するために用いられる。ＰＤＣＣＨは、後述するように、スロットの最初の数ＯＦＤＭシンボルに配置される。より詳細には、ＰＤＣＣＨは以下を含む。
【００３９】
−図６に示すダウンリンクトランスポートチャネルＤＬ−ＳＣＨのためのリソース割り当て
−図６のＰＵＣＣＨ及びアップリンクトランスポートチャネルＵＬ−ＳＣＨのためのＴＰＣ（Transmit  Power  Control）コマンド；これらのコマンドは、ＵＥがバッテリ使用を節約するために自身の送信電力を調整することを可能にする
−ＨＡＲＱ（Hybrid-Automatic  Repeat  Request）設定情報
−ＭＩＭＯ（後述する）プリコーディング情報。
【００４０】
ＣＲＣ（巡回冗長チェック）は、ＤＣＩの誤り検出のために用いられる。ＰＤＣＣＨペイロード全体が、ＣＲＣパリティビットのセットを計算するために用いられる。ＣＲＣパリティビットのセットは、次に、ＰＤＣＣＨペイロードの終わりに付加される。
【００４１】
異なるＵＥに関連する複数のＰＤＣＣＨが１つのサブフレーム内に存在できるので、ＣＲＣは、どのＵＥがＰＤＣＣＨに関連するかを指定するためにも用いられる。これは、ＵＥのＲＮＴＩ（Radio  Network  Temporary  Identifier）でＣＲＣパリティビットをスクランブリングすることにより行われる。他の識別子が適用されても良い。
【００４２】
ＤＣＩのサイズは因子の数に依存するので、ＲＲＣ構成により又はＰＤＣＣＨにより占有されているシンボル数を伝達する別の手段により、ＵＥはＤＣＩのサイズを知っている必要がある。
【００４３】
ＰＣＦＩＣＨ（Physical  Control  Format  Indicator  Channel）は、ＰＤＣＣＨ送信のために現在のサブフレーム内で用いられるシンボル数を示すために用いられる。これは、（最初はダウンリンク制御情報の大きさが不明なので）常に各サブフレームの最初のＯＦＤＭシンボル内に位置する。これは、ＵＥが制御情報及び間接的にはユーザデータを探す場所を知るのを助ける。
【００４４】
ＰＨＩＣＨ（Physical  Hybrid-ARQ  Indicator  Channel）は、アップリンクデータ送信のＡＣＫ／ＮＡＣＫを伝達する。つまり、ｅＮｏｄｅＢは、ＨＡＲＱ指示をＵＥへ送信し、自身がアップリンクでＵＥからのデータの受信に成功したか否かに依存して、肯定応答（ＡＣＫ）又は否定応答（ＮＡＣＫ）を示す。
【００４５】
上述のＣＲＳだけでなく、これらの制御チャネルＰＤＣＣＨ、ＰＣＦＩＣＨ、及びＰＨＩＣＨも、各サブフレームの最初の数シンボル内に置かれる。この利点は、ＵＥが、サブフレームの残りの部分で通信をスケジューリングされていない場合に、自身の受信機の電源を切ることにより、電力消費を低減できることである。
【００４６】
図７を参照すると、これは、どのように上述のチャネルが最初の数（本例では３個の）シンボル内のＲＥＧ／ＲＥにマッピングされるかの一例を示す。上述のように、水平軸はシンボル数を表し（本例では、インデックスｌにより示され、０から番号付けされる）、垂直軸はサブキャリアを表す（本図では、インデックスｋを有し、再び０から番号付けされる）。
【００４７】
影付きのＲＥは、本例では４アンテナポートの各々の参照信号のために用いられる。Ｃを付されたＲＥはＰＣＦＩＣＨのために用いられ、Ｈを付された他のＲＥはＰＨＩＣＨに割り当てられる。番号を付したＲＥは、ＰＤＣＣＨを含む種々の目的のために割り当て可能な（ＲＥＧに対応する）４個のシンボルを示す。太線を付されたＲＥＧは、本例ではＰＤＣＣＨに割り当てられる。
【００４８】
以下の点が関連し、後に明らかになる。
【００４９】
（ａ）ＰＤＣＣＨは、サブフレーム内の最初の１、２、３又は４個のＯＦＤＭシンボルを占有しても良い（４は、狭いシステム帯域幅の特定の場合である）。
【００５０】
（ｂ）所与のＰＤＣＣＨは、多数の所与の位置（つまり、全ての可能な位置の所定のサブセットを有する探索空間）のうちの任意の１つで伝送されても良い。ＵＥは、探索空間内の各位置にあるＰＤＣＣＨのブラインドデコーディングを試みる。
【００５１】
（ｃ）ＲＥ（リソースエレメント）へのＰＤＣＣＨのマッピングは、ＣＲＳ、ＰＣＦＩＣＨ及びＰＨＩＣＨとの衝突を回避する。これらの位置は、一般的にセルＩＤ及び／又は構成に依存する。
【００５２】
（ｄ）ＰＣＦＩＣＨは、セルＩＤに依存してＲＥＧのセットにマッピングされる（ＰＣＦＩＣＨは、前述のように最初のＯＦＤＭシンボル内でのみ送信される。ＰＣＦＩＣＨは、ＰＤＳＣＨに対応しないＭＢＳＦＮセル内で送信されない。）。
【００５３】
（ｅ）ＰＨＩＣＨは、ＰＣＦＩＣＨのために用いられないＲＥＧのセットにマッピングされ、したがってセルＩＤに依存する。ＰＨＩＣＨは、最初のＯＦＤＭシンボル内で開始し、その期間は１、２又は３ＯＦＤＭシンボルであっても良い（したがって、図７は簡略化された例である）。また、ＰＨＩＣＨは、ＰＤＳＣＨ領域内へ拡張できない（したがって、ＰＤＣＣＨ期間は、少なくともＰＨＩＣＨ期間と同じくらい大きい）。
【００５４】
（ｆ）ＣＲＳは、ＰＤＣＣＨの受信のための振幅及び／又は位相の基準として用いられる。
【００５５】
まとめると、同一のＯＦＤＭシンボルが、通常、ＰＤＣＣＨ、ＣＲＳ、ＰＣＦＩＣＨ及びＰＨＩＣＨにより共有される。ＰＤＣＣＨは、他のチャネルにより使用されないリソースにマッピングされる。
【００５６】
＜ＭＩＭＯ＞
ＭＩＭＯ（multiple-input  multiple-output）と呼ばれる技術は、そのスペクトル効率向上、空間ダイバーシチ向上及びアンテナ利得のために、ＬＴＥで採用されている。ＭＩＭＯ技術の１つの使用例は、所謂送信（Ｔｘ）ダイバーシチのためである。Ｔｘダイバーシチでは、同一ＵＥに向けられるデータのブロックは複数の送信アンテナポートを介して送信され、該複数の送信アンテナポートからの信号は異なる伝搬経路を辿っても良い。
【００５７】
「ダイバーシチコーディング」は、送信ダイバーシチシステムで、送信のために信号を生成する処理を表す。アンテナポートは、異なるｅＮｏｄｅＢの又は同一のｅＮｏｄｅＢのＴｘアンテナであっても良い。ＬＴＥでは、ＵＥの物理的大きさ及び能力が限られているので、送信ダイバーシチは、アップリンクよりもダウンリンクの方により適する。２以上のＲｘアンテナが性能を向上するために用いられ得るが、ＵＥで１つの受信アンテナポート（Ｒｘアンテナ）のみが必要である。
【００５８】
ＳＴＢＣ（Space  Time  Block  Coding）及びＳＦＢＣ（Space  Frequency  Block  Coding）は、ダイバーシチコーディングの一般的な方法である。これらの方法は、送信機が送信チャネルの完全な知識を有しないので、「開ループ」ダイバーシチスキームと称される。要するに、これらの方法の間の相違は、ＳＴＢＣでは異なるシンボルが異なるアンテナから同時に送信され、一方、ＳＦＢＣでは、空間コーディングが同一シンボル内の近隣サブキャリアに跨って適用され、異なるサブキャリアが異なるアンテナから同時に送信されることである。
【００５９】
＜ＣｏＭＰ及びＭＢＭＳ＞
以上に関連し、複数の基地局間のＭＩＭＯ送信を調整し（つまり、隣接又は近隣セル内で協調送信し）、セル間干渉を低減し、所与のＵＥへのデータレートを向上させることが可能である。これは、協調多点送信／受信又はＣｏＭＰ（coordinated  multi-point  transmission/reception）と称され、ＬＴＥ−Ａに含まれると考えられている技術である。ＣｏＭＰで用いられるダウンリンクスキームは、「ＣＳ／ＣＢ（Coordinated  Scheduling及び／又はCoordinated  Beamforming）」及び「ＪＰ／ＪＴ（Joint  Processing/Joint  Transmission）」を含む。利用され得る更なる技術は、利用可能なピークデータレートを増大させ利用可能なスペクトル割り当てのより完全な利用を可能にするための、複数搬送波（ＣＡ）の集約である。
【００６０】
ＣＳ／ＣＢでは、単一UEのデータは１つの送信点から送信されるが、ユーザスケジューリング（つまり、個々のＵＥへの送信タイミングのスケジューリング）に関する決定は、協調セル（又はセルセクタ）間の協調により行われる。言い換えると、スケジューリング／ビーム形成の決定は、協調スキームに参加するセル（又はセルセクタ）間の協調により行われ、可能な限り、単一のＵＥが１より多い送信点から信号を受信するのを防ぐようにする。
【００６１】
他方で、ＪＰ／ＪＴでは、単一のＵＥへのデータが、複数の送信点から同時に送信され、（コヒーレントに又は非コヒーレントに）受信信号品質を向上させ及び／又は他のＵＥに対する干渉を除去する。言い換えると、ＵＥは、複数のセル内で１より多い送信点と同時に活発に通信する。ＵＥの観点からは、セルが異なるｅＮｏｄｅＢに属するか又は同一のｅＮｏｄｅＢに属するかは違いが無い。
【００６２】
ＣＡでは、同一ユーザ機器に供するために、離散周波数帯が同時に用いられ（言い換えると、集約され）、高い帯域幅要求（最大で１００ＭＨｚ）を有するサービスを提供可能にする。ＣＡは、ＬＴＥ−Ａ（LTE-Advanced）の特徴であり、ＬＴＥ−Ａの可能な端末に、既存のＬＴＥ端末及び物理層との互換性を維持しながら、幾つかの周波数帯に同時にアクセス可能にする。ＣＡは、複数のセル間の協調を達成するためにＪＰに補足されると考えられる。相違点は、ＣＡは周波数領域で、ＪＰは空間領域で協調を必要とすることである。
【００６３】
図８は、それぞれＣｏＭＰで用いられるＣＳ／ＣＢ及びＪＰダウンリンク送信スキームの原理を示す。
【００６４】
ＪＰ（Joint  Processing）を図８（ａ）に示す。図８（ａ）では、セルＡ、Ｂ及びＣは活発にＵＥへ送信し、一方でセルＤはセルＡ、Ｂ及びＣにより用いられる送信インターバル中は送信していない。
【００６５】
本発明との関連は少ないが、図８（ｂ）に協調スケジューリング及び／又は協調ビーム形成（ＣＳ／ＣＢ）を示す。図８（ｂ）では、セルＢのみがＵＥへデータを送信し、一方でユーザスケジューリング／ビーム形成の決定は、セルＡ、Ｂ、Ｃ及びＤの間の協調により行われ、協調セル間の同一チャネルのセル間干渉が低減又は除去できる。
【００６６】
基地局間の協調的送信の別の例として、ＭＢＭＳ（Multimedia  Broadcast  Multicast  Services）が複数セル送信を介して実行されても良い。複数セル送信の場合には、セル及びコンテンツは、端末が複数のｅＮｏｄｅＢからの受信信号を結合できるように、同期される。この概念は、単一周波数ネットワークとしても知られている。Ｅ−ＵＴＲＡＮは、ＭＢＭＳサービスの送信、所謂ＭＢＳＦＮ動作のために、どのセルが単一周波数ネットワークの一部であるかを設定できる。ＭＢＭＳトラフィックは、ユニキャストトラフィックと同じ搬送波を共有でき、又は別個の搬送波で送信できる。ＭＢＭＳトラフィックでは、上述の拡張ＣＰが設けられ、ＵＥに異なるｅＮｏｄｅＢからの送信を結合させ、ＭＢＳＦＮデータを伝達するサブフレームの場合には、上述のように特定のＭＢＳＦＮ参照信号が用いられる。
【００６７】
＜セル間の制御シグナリングの調整＞
従来の複数セルネットワークでは、ダウンリンク送信のスペクトル効率は、セル間干渉により制限される。この問題に対する１つのアプローチは、セル間干渉を軽減するために、上述のように複数のセル（複数の基地局を意味する）間の送信を調整することである。調整（ＣｏＭＰ）の結果として、協調セルの間で、セル間干渉は低減又は除去でき、高いデータレートのカバレッジ、セル端スループット及び／又はシステムスループットにおける有意な改善をもたらす。本発明では主に検討されないが、ＣｏＭＰ技術はＭＩＭＯ送信に適用できる。
【００６８】
現在、ＬＴＥでは、単一の制御チャネル（ＰＤＣＣＨ）が、１つのサービングセル（プライマリセル又はＰｃｅｌｌ）からＵＥへ送信される。セル境界にいるＵＥでは、Ｐｃｅｌｌからの送信は同じ周波数で動作している近隣セルからの増大する干渉に苦しみ、標準的には、このような干渉に対する耐性を増大させるためにより低い実効送信レートが用いられる。これは、データ及び制御チャネルの両方に適用でき、符号レートを低下させることにより及び／又はメッセージを繰り返すことにより達成できる。２つのアプローチは、より多くの送信リソースを必要とする。ＰＤＣＣＨ送信の状況では、（周波数領域で）リソースを増大させる係数は、（値１、２、４又は８を取り得る）集約レベルと称される。
【００６９】
（例えばセル境界に存在する）少なくとも幾つかのＵＥでは、２つのセルから同一のＰＤＣＣＨメッセージを共同で送信できることは有利である。これは、このようなメッセージのＳＩＮＲを大幅に向上させ、例えば集約レベル４の代わりに１を使用可能にし得る。この場合、同じリソース量で、これは、ＰＤＣＣＨを２個ではなく４個のＵＥへ送信可能にできる。しかしながら、これを行うには、現在のＬＴＥ仕様の制約の範囲内で幾つかの問題がある。
【００７０】
近隣セルは、通常、異なるセルＩＤを与えられる。このセルＩＤは、異なるセルからの送信を区別するための基礎として用いることができる。例えば、データ送信は、セルＩＤに依存するシーケンスによりスクランブリングされる。周波数領域における共通参照シンボル（ＣＲＳ）の位置も、セルＩＤに依存する。実際には、近隣セルは異なるセルＩＤを有しなければならない。この理由の１つは、ＣＲＳが異なる位置を占有し、或いは、ＣＲＳのためのＯＦＤＭシンボルが時間領域で揃えられると、ＣＲＳを用いる異なるセルに対するチャネル測定が不可能であるためである。ＰＣＦＩＣＨ及びＰＨＩＣＨのような他のチャネルにより使用されるリソースも、セルＩＤに依存する。
【００７１】
異なるセルからのＰＤＣＣＨの共同送信を達成するには、無線フレームが時間的に揃えられ、ＰＤＣＣＨ領域が重なり合う必要がある（言い換えると、フレーム又は１フレーム内の少なくともサブフレームが、特定の耐性に合う開始及び終了タイミングを有する必要がある）これは、ＣＲＳシンボルが時間領域で重なり合うこと、したがって、周波数領域で異なる位置を可能にするために異なるセルＩＤが必須であることを意味する。したがって、ＣＲＳ、ＰＣＦＩＣＨ及びＰＨＩＣＨのために必要なリソースは、原則的に、異なるセル間で異なる。したがって、揃えられた無線フレームでも、一般的に、２つの又は異なるセル内の同一のＰＤＣＣＨメッセージのために異なるリソースが用いられる。
【００７２】
本発明の実施形態は、異なるセルＩＤを有する２つの協調セル間に共通ＰＤＣＣＨリソースを提供する課題を解決する。任意のソリューションの付加的な望ましい特徴は、ＰＤＣＣＨ送信に対する変更の既存の信号との後方互換を保証することである（つまり、「古い」ＰＤＣＣＨ送信の使用が「新しい」ＰＤＣＣＨ送信の同時使用により影響を受けない）。しかしながら、明らかになるように、本発明は、概して、決してＰＤＣＣＨを伴う使用に又は制御チャネルを伴う使用にも限定されない。
【発明の概要】
【発明が解決しようとする課題】
【００７３】
本発明は、協調セルによる無線通信方法、基地局機器、ユーザ機器を提供する。
【課題を解決するための手段】
【００７４】
本発明の第１の態様によると、ユーザ機器は少なくとも第１及び第２のセルからダウンリンク信号を受信し、前記ダウンリンク信号は、前記セルの各々から送信されたそれぞれの参照信号、前記セルにより共同送信されたチャネル、を有し、前記ユーザ機器は、前記それぞれの参照信号から得た共同振幅／位相基準を用い、前記共同送信されたチャネルを復調する、無線通信方法が提供される。
【００７５】
冒頭で述べたように、本願明細書において用語「セル」は広義に解釈されるべきである。例えば、送信又は受信が実際には基地局により行われるとしても、（ダウンリンクで）セルから又はセルにより送信されている又は（アップリンクで）セルへ送信されている、セルに関連する通信チャネルを表すことが可能である。用語「セル」は、サブセルも包含する。セルは、異なる基地局と又は同一の基地局と関連付けられても良い。用語「基地局」自体は、広範な意味を有し、例えばアクセスポイント又は送信点を包含する。
【００７６】
上記方法では、望ましくは、前記共同送信されるチャネルは、同一のチャネルが両方のセルにより個別に送信される場合に、両方のセルにより共通に用いられるリソースのみを用いて、前記セルにより送信される。
【００７７】
標準的に、無線通信方法は、フレームに基づく方法であり、時間が所定期間のフレームに分割され、これらは更にサブフレームに分割可能である。このような場合、参照信号及び共同送信されるチャネルは、毎フレーム又はサブフレームで送信されても良い。
【００７８】
共同送信されるチャネルは、少なくとも１つの制御チャネル又は制御チャネルの一部を有しても良い。つまり（各フレーム又はサブフレーム内で）各セルは共同送信されるチャネルの全体を送信しても良く、１つのセルがチャネル全体を送信し、第２のセルはチャネルの一部のみを送信しても良く、或いは、両方のセルが、共同してチャネル全体が送信されるようにチャネルの重なり合う部分を送信しても良い。
【００７９】
好適な実施形態では、上記方法は、ＬＴＥに基づく無線通信システムで用いられる。この場合、少なくとも１つの制御チャネルは、ＬＴＥで定められたＰＤＣＣＨ（Physical  Downlink  Control  Channel）及び／又はＰＨＩＣＨ（Physical  Hybrid-ARQ  Indicator  Channel）であることが望ましい。
【００８０】
共同送信されるチャネルは、同一周波数で第１及び第２のセルの協調送信の組合せにより形成される新しい「セル」のダウンリンク信号と考えられる。したがって、前記それぞれの参照信号の各々は、前記セルのうちの対応する１つと関連付けられ、１つより多いセルからの前記参照信号の結合は、新しいセルを定める。この場合、少なくともシグナリング目的で、前記セルの各々及び前記新しいセルは、異なるセル識別子を有する。
【００８１】
ＬＴＥのＰＤＣＣＨのような制御チャネルへの適用を主に想定したが、本発明は、ユーザ機器へのデータの共同送信にも適用できる。したがって、共同送信されるチャネルは、データチャネルであっても良い（又はそれを含んでも良い）。ＬＴＥでは、これは、例えばＰＤＳＣＨである。制御チャネルについては、各セルはチャネル全体を送信することが可能であり、又は１つのセルがチャネル全体を送信し、第２のセルはチャネルの一部のみを送信し、或いは、両方のセルが、共同してチャネル全体が送信されるようにチャネルの重なり合う部分を送信しても良い。
【００８２】
例えばＬＴＥでは、基地局機器は、上述のように複数のＴｘアンテナを設けられても良い。したがって、セルは、各アンテナポートが個々の参照信号を送信する複数のアンテナポートを有する基地局機器により提供されても良い。
【００８３】
任意の上述の方法で、望ましくは、前記第１及び第２のセルのうちの一方から送信されるダウンリンク信号は、前記第１及び第２のセルのうちの他方から送信される参照信号との干渉を回避するよう構成される。つまり、共同送信されるチャネルを送信する共通リソースを見付けるためにセルが協調するのに加えて、セルは、参照信号のタイミング及び周波数で互いの干渉を回避するために協調しても良い。
【００８４】
このような協調は、勿論、前記第１及び第２のセルが同一の基地局機器により提供されるとき、達成が容易である。しかしながら、第１及び第２のセルは、異なる基地局により提供されても良い。この場合、上記方法は、それぞれの基地局間で共同送信されるチャネルを調整するためにシグナリングを行うステップを更に有する。また、このような協調を開始し制御するために、システム内のＲＲＭ（Radio  Resource  Management）エンティティのような上位ノードから各基地局へのシグナリングが存在しても良い。
【００８５】
任意の場合において、前記共同送信されるチャネルの送信の前に、前記共同送信されるチャネルに関する情報を前記ユーザ機器に伝達するステップ、を更に有することは、概して必要であり又は少なくとも望ましい。例えば、ユーザ機器に第１及び第２のセルのセルＩＤ、共同送信されるチャネルにより定められる新しいセルのセルＩＤ、使用中のそれぞれの参照信号に関する情報、及び共同振幅及び／又は位相基準を得るためにそれぞれの参照信号をどのように結合するかについての指針を通知することが望ましい。
【００８６】
本発明の第２の態様によると、上述の無線通信方法で用いられ、前記第１及び第２のセルのうちの少なくとも１つを提供するよう構成される、基地局機器が提供される。
【００８７】
上記基地局機器は、少なくとも１つのユーザ機器へ少なくとも第１のセル内でダウンリンク信号を送信する送信機、セルの参照信号を前記ダウンリンク信号内の所定の時間／周波数領域リソースに割り当てる参照信号挿入手段、第１及び第２のセルの間で共通する時間／周波数領域リソース又は第１及び第２のセルから送信される同一のチャネルメッセージを構成することにより、第１のセル内の少なくとも１つのダウンリンクチャネルの少なくとも一部について共同送信が達成されるように第２のセルと協調して、前記第１のセル内の少なくとも１つのダウンリンクチャネルをスケジューリングするスケジューリング手段、を有しても良い。
【００８８】
本発明の第３の態様によると、上述の無線通信方法で用いられ、前記共同送信されたチャネルを復調するために前記それぞれの参照信号から共同振幅及び／又は位相基準を得るよう構成される、ユーザ機器が提供される。
【００８９】
上記ユーザ機器は、無線通信システム内の少なくとも第１及び第２のセルから送信されるそれぞれの参照信号を検出する参照信号検出手段、前記の受信した参照信号から、共同送信されたチャネルの共同基準を引き出す参照信号結合手段、前記第１及び第２のセルの両方からの送信に基づき、前記共同送信されたチャネルを復調する復調手段、を有しても良い。
【００９０】
本発明の更なる態様は、基地局機器及びユーザ機器を上述の情報のいずれかを実行するよう構成する、無線通信ネットワーク内のＲＲＭエンティティを提供しても良い。更なる態様は、プロセッサを備えた通信機器に上述の基地局機器又はユーザ機器を提供させるソフトウェアに関連する。上記ソフトウェアは、コンピュータ可読媒体に記録されても良い。
【００９１】
したがって、本発明の実施形態は、２つの協調セルに共同送信されるチャネルを提供させ、例えばＰＤＣＣＨを共同送信させ、上記のような共同チャネルの復調のために少なくとも１つの適切な振幅及び／又は位相基準を提供させる。これは、２つの協調セルから新しいセルを形成することと等価であると考えられる。
【００９２】
概して、特に明確な意図がない限り、本発明の一態様に関して記載された特徴は、任意の他の態様に等しく適用され、任意の他の態様との組合せが本願明細書に明示的に言及又は記載されていない場合でも、任意の他の態様と組み合わせられても良い。
【００９３】
前述の説明から明らかなように、本発明は、無線通信システム内のセル及びユーザ機器間の信号送信を包含する。セルは、１又は複数の基地局に関連付けられる。基地局は、上記の信号を送信及び受信するのに適した任意の形式を取り得る。基地局は、標準的に３ＧＰＰ  ＬＴＥ及び３ＧＰＰ  ＬＴＥ−Ａ規格群での実装のために提案された形式を取り、したがって異なる状況で適切な場合、ｅＮｏｄｅＢ（ｅＮＢ）（この用語はHome  eNodeB又はHome  eNodeBも包含する）として記載され得る。しかしながら、本発明の機能的要件を前提として、幾つかの又は全ての基地局は、信号を送信し及びユーザ機器から受信するのに適した任意の他の形式を取っても良い。
【００９４】
同様に、本発明では、各ユーザ機器は、信号を送信し及び基地局から受信するのに適した任意の形式を取り得る。例えば、ユーザ機器は、加入者局（ＳＳ）若しくは移動局（ＭＳ）の形式、又は任意の他の適切な固定位置若しくは移動可能な形態を取っても良い。本発明を視覚化する目的で、ユーザ機器をモバイル端末として想像することは都合が良い（また、多くの例では、ユーザ機器の少なくとも幾つかは、モバイル端末を有する）。しかしながら、これはいかなる限定も意味しない。
【図面の簡単な説明】
【００９５】
単に例として、添付の図面を参照する。
【図１】ＬＴＥ無線通信システムのダウンリンクに用いられる一般的なフレーム構造を示す。
【図２】フレーム内のリソース割り当てを示す。
【図３】リソースエレメント（ＲＥ）及びリソースエレメントグループ（ＲＥＧ）を示す。
【図４】通常のサイクリックプレフィックス（ＣＰ）の場合のＲＥＧの配置を示す。
【図５】拡張サイクリックプレフィックス（ＣＰ）の場合のＲＥＧの配置を示す。
【図６】ＬＴＥで定められた種々のチャネル間の関係を示す。
【図７】制御チャネルＰＤＣＣＨがＲＥＧにどのようにマッピングされるかを示す。
【図８】ＣｏＭＰ（Co-operative  Multipoint  Processing）で用いられる原理を示す。
【図９Ａ】セル（ａ）に適用される本発明の一実施形態を示す。
【図９Ｂ】セル（ｂ）に適用される本発明の一実施形態を示す。
【図９Ｃ】セル（ｃ）に適用される本発明の一実施形態を示す。
【図１０Ａ】セル（ａ）に適用される本発明の一実施形態を示す。
【図１０Ｂ】セル（ｂ）に適用される本発明の一実施形態を示す。
【発明を実施するための形態】
【００９６】
本発明の実施形態を説明する前に、ＬＴＥにおける制御チャネルＰＤＣＣＨに関する幾らかの更なる議論が提供される。しかしながら、留意すべきことに、本発明は、ＰＤＣＣＨ又はＬＴＥへの適用に限定されない。
【００９７】
＜複数セルからＰＤＣＣＨを送信するために可能なアプローチ＞
前述のように、２個（又はそれより多い）セルから同一のＰＤＣＣＨメッセージを共同で送信できることは有利である。本発明の実施形態を説明する前に、先ず、幾つかの可能な解決策を検討する。
【００９８】
ＬＴＥに対する可能な改良（つまりＬＴＥ−Ａ）の範囲内で、課題を解決するために可能であるが望ましくないアプローチは、以下の通りである。
【００９９】
（ｉ）同一のメッセージコンテンツで２つの異なるセルからＰＤＣＣＨを送信するが、受信の成功を保証するために必ずしも他の特別な手段を有しない。これは、次に、メッセージの復号化に成功するのを助けるために、必要に応じてＵＥに２つの信号を結合させる。例えば、ＵＥは、各信号を別個に復号化し、次に一緒に結合しようとする。これは、実現可能かも知れないが、少なくとも以下の問題を処理しなければならない。
【０１００】
−ＵＥは、２つのセルが同じ内容を有するＰＤＣＣＨを送信した可能性を知る必要がある。これは、ＲＲＣシグナリングにより示され得る。
【０１０１】
−ＵＥは、２つのセルにより用いられるサーチ空間の位置間の限られた関係（例えば、２つのセルで用いられる同じ位置）を知る必要があり、又は多数のブラインドデコーディングの試みが禁止される。
【０１０２】
−複数の受信アンテナを用いてセルサイト間の空間的隔離を決定するような、ＵＥが２つのセルからの信号を分離する何らかの方法が存在することが理想的である。これは、同一サイトから送信されるセルでは一層困難である。
【０１０３】
−信号の結合がＰＤＣＣＨを受信するために必要な場合には、２つのセルからのＣＲＳのセットは、両方とも、ＵＥにより受信される必要がある。
【０１０４】
（ｉｉ）各セルからＰＤＣＣＨメッセージの一部（例えば、各セルから半分のビット）を送信する。ＵＥは、標準的に、完全なメッセージを復号化するために、両方の部分を受信する必要がある。さらに、同じ問題は、上述のアプローチ（ｉ）にも適用される。しかしながら、この着想の変形は、以下に説明する本発明の実施形態で用いられる。
【０１０５】
（ｉｉｉ）例えば通常ＰＵＳＣＨのためにアップリンクに割り当てられるリソースを用いて、制御チャネルの新しい設計を用いる。これは、追加の標準化作業を必要とする。しかしながら、既に中継用途のために設計された制御チャネル（Ｒ−ＰＤＣＣＨ）が適する。
【０１０６】
（ｉｖ）各協調セルで同一のＣＲＳ位置を有する。これは、共同ＰＤＣＣＨの復調のための参照信号の共同送信を可能にする。しかしながら、これは、レガシＵＥが１つのセルのみからＣＲＳを受信しようとする問題を生じ得る。さらに、現在のＬＴＥ仕様は、異なるセルからのＣＲＳに異なるシーケンスを適用する。同一シーケンスを有するために、セルＩＤは同一である必要がある。これは、ＵＥが２つのセルを区別するのを困難にし得る。また、２つの協調セルが実際に同一セルであると考えられることが意図されない限り、他の問題もある。
【０１０７】
＜本発明の実施形態で用いられる原理＞
本発明の実施形態は、２つのセル間で共通の幾つかの時間／周波数領域のリソース又は２つのセルから送信される同一の制御チャネルを配置することにより、協調送信が制御チャネル情報の少なくとも一部に対して達成できるという認識に基づく。さらに、適切な場合に本発明の柔軟な動作のために、シグナリングは、共同制御チャネル送信が用いられている場合に、ＵＥに知らせるために必要である。
【０１０８】
本発明の実施形態の基礎にある幾つかの原理は（必ずしも全てが同時に適用されない）、２つのセルからの共同送信を受信するために共同参照信号を提供すること、協調セルから新しいセルを生成すること、及び共同送信チャネルを提供することである。共同送信チャネルは、必ずしも制御チャネルではない。しかしながら、本発明の実施形態は、ＬＴＥのＰＤＣＣＨのような制御チャネルに適用されるときに特に有利である。
【０１０９】
これらの原理を、以下に更に詳細に記載する。
【０１１０】
ＰＤＣＣＨのような共同送信される制御チャネルを提供するために、２つのセルの制御チャネル領域は揃えられているという仮定の下で、セルは、既存のフォーマット（つまり、ＬＴＥリリース８／９）に従って両方のセルにより送信された場合にＰＤＣＣＨメッセージに共通のリソース内でのみ同一の情報を送信することにより、新しいフォーマットのＰＤＣＣＨメッセージをＵＥへ送信する際に協調する。
【０１１１】
ここで、「２つのセルの制御チャネル領域は揃えられている」ことにより、各々の場合にフレームタイミングが同じであるべきであることを意味する（又は少なくとも望ましい）。十分な共通ＲＥが存在するために、以下の幾つかの制約が適用されることが望ましい。
【０１１２】
（ａ）システム帯域幅は両方のセルで同じである。
【０１１３】
（ｂ）ＰＤＣＣＨ期間は、両方のセルで同じである（望ましくは、２又は３ＯＦＤＭシンボルであり、後の議論から明らかになる）。
【０１１４】
さらに、共通ＲＥの数を最大化するために、以下が望ましい。
【０１１５】
（ｃ）ＣＲＳのために予約されるＲＥの数は、両方のセルで同じである。これは、１又は２個のアンテナポートが両方のセルに存在する場合、又は４個のアンテナポートが両方のセルに存在する場合に、達成される。１又は２個のアンテナポートが存在することが望ましい（後の議論でこれが仮定される）。
【０１１６】
（ｄ）ＰＨＩＣＨ期間は、両方のセルで同じである（望ましくは１ＯＦＤＭシンボル）。
【０１１７】
これらの仮定の下で、以下のことに気付く。
【０１１８】
−両方のセルは、最初のＯＦＤＭシンボル内に同数の「非ＰＤＣＣＨ  ＲＥ」を有する（以下では、シンボルは１から番号付けされ、「最初のシンボル＝シンボル１」とする）。
【０１１９】
−両方のセルは、ＯＦＤＭシンボル２及び３で同じＰＤＣＣＨ構造を有する（１／２アンテナポートのみを想定する）。
【０１２０】
−したがって、各セルからのＰＤＣＣＨに用いられるＲＥＤ（及びＲＥ）は、ＯＦＤＭシンボル２及び３では同じである。
【０１２１】
−最初のＯＦＤＭシンボル内で共通の幾つかのＲＥが存在する。
【０１２２】
本発明に基づく、２つの協調セルからＰＤＣＣＨを送信するための幾つかの可能な解決策は以下の通りである。
【０１２３】
（１）ＰＤＣＣＨは、ＯＦＤＭシンボル２及び３のＲＥＧでのみ送信される。
【０１２４】
副作用は、ＣＲＳ、ＰＣＦＩＣＨ、ＰＨＩＣＨ、既存のＰＤＣＣＨ送信に対してＯＦＤＭシンボル１におけるセル間干渉が少ないことである。
【０１２５】
（２）（１）に関連するが追加で、ＯＦＤＭシンボル１内で共通のＲＥを用いる（つまり、ＲＥは、Ｒｅｌ８に従う両方のＰＤＣＣＨに現れる）。
【０１２６】
これは、ＲＥＧではなく個々のＲＥが考慮される必要がある場合、データマッピングをより複雑にしてしまう。
【０１２７】
（３）Ｒｅｌ８に従うＰＤＣＣＨを、第１のセルから送信するが、第２のセルからは共通のＲＥＧ／ＲＥでのみ送信する。留意すべきことに、本発明のこの例は、ＰＤＣＣＨのための新しいフォーマットを必要としない。ここで、１つのセルに必要なことは、「完全な」ＰＤＣＣＨを送信することだけである。
【０１２８】
実際に利用可能なＲＥＧ／ＲＥの数はサブフレーム毎に変化し得るので、データマッピングはこれを考慮に入れる必要がある。幸運にも、必要な情報は、ＵＥとｅＮｏｄｅＢの両者に知られている。
【０１２９】
２つのセルからの共同送信を受信するための位相基準は、両方のセルからの参照シンボルから得られ、各セルからの情報の僅かに異なる到着タイミングを許容する。これは、各セルで制御チャネル送信に用いられる単一アンテナ又はアンテナポート（つまり、セル当たり１つのＣＲＳセット）の簡単な場合で議論する。
【０１３０】
ＰＤＣＣＨに対する適切なアプローチは、両方のセルからのＣＲＳから位相基準を得ることである。これは、異なるＣＲＳから導出されるチャネル推定の線形結合の形式であっても良い（例えば、（１，１）、（１，−１）、（１，ｊ）、（１，−ｊ）のような係数を有する）。概して、（重みを結合する）係数は、予め定められ、少なくともＣＲＳペアに適用される必要がある。係数は固定され、又はＵＥに伝達され、又はＲＢによって所定の方法で変化しても良い。このように導出された位相基準は、ＵＥがどのセルが協調しているかを知っていて、正しいＣＲＳを結合できることを要求する。これは、ＲＲＣシグナリングにより行うことができる。
【０１３１】
＜第１の実施例＞
ＬＴＥに基づく第１の実施形態では、ネットワークは、ＦＤＤを用いて動作し、１より多いダウンリンクセルを制御する単一のｅＮｏｄｅＢを有し、各ダウンリンクセルは対応するアップリンクセルを有する。各ＤＬセルは、該セル内で送信される信号を受信し復号化し得る１以上の端末（ＵＥ）に供する。ＵＥへ及びＵＥからの伝送のために時間、周波数及び空間領域の伝送リソースの適切な使用をスケジューリングするために、ｅＮｏｄｅＢは、上述のように制御チャネルメッセージ（ＰＤＣＣＨ）をＵＥへ送信する。
【０１３２】
ＰＤＣＣＨメッセージは、標準的に、データ送信が（ＰＵＳＣＨを用いて）アップリンクで又は（ＰＤＳＣＨを用いて）ダウンリンクであるかを示し、送信リソース、並びに送信モード及びデータレートのような他の情報も示す。先ず始めに、ＵＥは、ダウンリンクプライマリセル（Ｐｃｅｌｌ）（以下で「第１のセル」と称する）の定められた探索空間に渡り、多数の可能なＰＤＣＣＨメッセージのブラインドデコーディングを実行する。ＰｃｅｌｌからのＰＤＣＣＨの復調のための振幅／位相の１又は複数の基準は、第１のセルにより送信される参照シンボル（ＣＲＳ）から直接得られる。本発明を用いる一例として、ｅＮｏｄｅＢが（例えばＲＰＭ測定又はＣＳＩレポートを介して、）自身の供するＵＥが同一のｅＮｏｄｅＢにより制御されている別のセルからの干渉に苦しんでいると特定した場合、（上述のバージョン（３）のような）本発明の共同ＰＤＣＣＨ送信技術が作動される。
【０１３３】
ｅＮｏｄｅＢは、（例えば、ＲＲＣシグナリングを介して）ＵＥに特定の追加セル（以下で「第２のセル」と称する）からの共同制御チャネル送信の受信を開始すべきであることを伝達する。例えば、干渉を生成しているセルは、第２のセルになる。第１及び第２のセルの両者により送信されるＰＤＣＣＨ  ＲＥを受信するために、ＵＥは、第１のセル及び第２のセルからのＣＲＳを用いて行われたチャネル推定の所定の線形結合から、追加位相基準を得る。第１のセルから特定のＰＤＣＣＨを受信するためのブラインドデコーディングの試みで、ＵＥは、第１のセルからのＰＤＣＣＨ及び第２の協調セルからの他の同一のＰＤＣＣＨに共通のリソースエレメントで送信されるシンボルに対してこの追加位相基準を用いる。ＵＥは、他のセルからのＰＤＣＣＨのＲＥと衝突する第１又は第２のセルのＣＲＳを使用することを回避しても良い。ＵＥは、他のセルからのＣＲＳと衝突するＰＤＣＣＨ  ＲＥを受信することも回避しても良い。チャネルコーディングはＰＤＣＣＨに適用されるので、大きな問題を有しないで、幾つかのＲＥは損失又は無視できる。
【０１３４】
第１の実施形態の好適なバージョンでは、第１及び第２のセルは、同じシステム帯域幅、同数のＰＤＣＣＨ用ＯＦＤＭシンボル、同数のＣＲＳ用アンテナポート、及び同じＰＨＩＣＨ期間を有する。この好適な実施形態の一例では、ＰＤＣＣＨ用ＯＦＤＭシンボルの数は３であり、ＣＲＳアンテナポートの数は１又は２であり、ＰＨＩＣＨ期間は１シンボルである。
【０１３５】
第１の実施形態の別のバージョンでは、２つの協調セルからの信号の結合は、第３のセルを形成する。この第３のセルは、別のセルＩＤを与えられても良い。ＰＤＣＣＨのような制御チャネルの復調のための振幅及び／又は位相基準と同様に、第３のセルも、ＰＤＳＣＨのような、協調セルにより送信されたデータの復調のための少なくとも１つの結合された振幅及び／又は位相参照信号を提供されても良い。例えば、これは、２つの協調セルから受信したセル固有の若しくは共通参照信号（ＣＲＳ）の結合（例えば、線形結合）から得られる少なくとも１つのアンテナポートの振幅／位相基準、又は、２つの協調セルから受信したＵＥ固有の若しくは専用参照信号（ＤＭ−ＲＳ）から得られる振幅／位相基準であっても良い。実施形態のこのバージョンでは、ＣＱＩフィードバックは、適切な基準を用いて得られたチャネル測定を用いて計算されても良い。これは、協調セルから受信した異なるＣＳＩ−ＲＳの測定値の組合せを用いることにより達成できる。または代替として、協調セルは、同一リソースでＣＳＩ−ＲＳを共同で送信しても良い。
【０１３６】
図９Ａ〜図９Ｃは、セル間のＰＤＣＣＨ送信の連携の一例を（ＬＴＥのようなシステムのための原理を説明するために）示す。図９Ａ〜図９Ｃは、それぞれ３個の異なるセル（ａ）、（ｂ）及び（ｃ）について、サブフレームＳＦの最初のリソースブロック内のＯＦＤＭシンボルを示す。前出の図と同様に、水平軸に沿ってＯＦＤＭシンボル１、２、３、．．．を示し、垂直軸に沿ってサブキャリアを配置している。最初の３ＯＦＤＭシンボルは、ＣＲＳ（Ｒを付している）及びＰＤＣＣＨ（Ｐを付している）を含んでも良い。本例では、個々のＲＥへのＰＤＣＣＨ割り当てが示される。ＬＴＥでは、割り当ては、ＲＥＧに、つまり４個のＲＥのグループに対して行われる。
【０１３７】
各セルで同一である１つのＰＤＣＣＨが示される。通常、異なるセルのＰＤＣＣＨは、それぞれ複数のセルのうちの１つにより供される異なるＵＥにより受信される。異なるセル内の２つのＵＥが同じＩＤを有する場合、ＰＤＣＣＨは完全に同一であっても良い。その他の場合、それらは、冒頭で言及したＵＥ固有ＣＲＣスクランブリングを除いて同一であっても良い。周波数領域の一部のみが図示され、ここではＣＲＳの存在のみが検討される（ＰＣＦＩＣＨ又はＰＨＩＣＨは検討しない）。ＣＲＳは各セル内で異なる位置を有し、図示の割り当ては２アンテナポートを想定している。
【０１３８】
図１０Ａ〜図１０Ｂは、図９Ａ〜Ｃと類似した例を示す。図１０Ａ〜Ｂでは、本発明の第１の実施形態が適用される。本例では、１つのサブフレームＳＦの最初の数個のシンボルのためのリソース割り当ては、２つのセルの各々について示される。第１の、Ｐｃｅｌｌは（ａ）であり、第２の、協調セルは（ｂ）である。
【０１３９】
第１の実施形態によると、ＣＲＳとＰＤＣＣＨとの間の干渉が似ている場合、ＰＤＣＣＨのための位相基準は、「Ｘ」により示すＲＥを除いて、第１及び第２のセル（ａ）及び（ｂ）の両方からのＣＲＳから得られても良い。本例では、個々のＲＥへのＰＤＣＣＨ割り当てが示される。既に述べたように、ＬＴＥでは、割り当ては、ＲＥＧに、つまり４個のＲＥのグループに対して行われる。
【０１４０】
第１の実施形態の１つのバージョン（上述の共同ＰＤＣＣＨ送信バージョン（２））では、ＰＤＣＣＨは、ＰｃｅｌｌからのＰＤＣＣＨと協調セルからのＰＤＣＣＨとの間で共通のＲＥ内でのみ送信される。言い換えると、ＵＥに異なるセルのＰＤＣＣＨを結合可能にするために、ｅＮｏｄｅＢは、非共通ＲＥでのＰＤＣＣＨの送信を停止する。
【０１４１】
更なるバージョンでは、送信は共通ＲＥＧ内でのみ行われる。
【０１４２】
ＰＤＣＣＨのリソースマッピングは、利用可能なＲＥを考慮する。このバージョンでは、（一方又は両方のセルに対して）図１０Ａ、Ｂで「Ｘ」を付されたＰＤＣＣＨ  ＲＥ内では送信がない。本実施形態の更なるバージョン（上述のバージョン（１））では、ＰＤＣＣＨは、ＰｃｅｌｌからのＰＤＣＣＨの全てのＲＥが協調セルからのＰＤＣＣＨのＲＥと同じ位置にあるＯＦＤＭシンボル内でのみ送信される。この結果として、ＰＤＣＣＨは、システム構成に依存して、シンボル２及び３でのみ送信される。
【０１４３】
＜第２の実施形態＞
第２の実施形態は第１の実施形態と似ているが、協調セルが同一のｅＮｏｄｅＢにより制御されない点が異なる。協調するｅＮｏｄｅＢは、（例えば固定ネットワークを介して）メッセージを交換し、（例えば、ＰＤＣＣＨメッセージの内容及び探索空間で送信されるべき位置について合意するために）本発明の動作を調整する。
【０１４４】
前述のように、ｅＮｏｄｅＢは、バックホールネットワーク（例えば、コアネットワーク）を介して相互接続される。ＵＥへ送信されるべきデータの正しい部分が適切なｅＮｏｄｅＢに配信されることを保証するために、ｅＮｏｄｅＢ間で幾らかの通信が必要である。データは、両方のｅＮｏｄｅＢについて同一であり得る。また、タイミング、（ＰＤＳＣＨを用いて送信されるべき）データの送信モード及び送信リソースのような詳細、並びにＰＤＣＣＨメッセージの内容及びフォーマットについて合意するために、ｅＮｏｄｅＢ間で幾らかの通信が必要である。ＬＴＥでは、ダウンリンクデータのスケジューリングは、ネットワークにより実行されるので、ｅＮｏｄｅＢ間のシグナリングの主なトリガは、ＵＥの無線アクセスネットワークにおけるコアネットワークからのデータの到来であり得る。しかしながら、ＰＤＳＣＨ及びＰＤＣＣＨフォーマットの幾つかの詳細は、予め合意され得る。
【０１４５】
＜変形−複数アンテナポート＞
以上の説明は、主に、各協調セルで制御チャネル送信に単一アンテナ（又はアンテナポート）を用いるという前提に基づいている。しかしながら、本発明は、セル毎により多くのアンテナポート（例えば、２又は４）の場合にも適用可能である。より多くのアンテナポートの場合（位相基準が複数のアンテナポートの各々について、それらの対応するＣＲＳセットから得られる場合）には、ＳＦＢＣ（Space-Frequency  Block  Coding）又はＳＴＣＢＣ（Space-Time  Block  Coding）のような送信ダイバーシチスキ―ムは、既に述べたように適用できる。
【０１４６】
標準的な送信（transit）ダイバーシチ技術は、各送信アンテナから送信される異なる信号と、受信機で利用可能な各送信アンテナからの無線経路に関するチャネル情報と、を必要とする。プリコーディング又はビーム形成も用いられ得るが、これは、通常、ｅＮｏｄｅＢで利用可能なチャネル行列に関する情報を必要とする。別の技術であるＳＦＮ（Single  Frequency  Network）は、空間的に分離された場所からの送信に対するプリコーディングの特別な場合であると考えられる。標準的に、ＳＦＮでは、同一の信号は、異なる場所から同期して送信される（しかし、特定のプリコーディングを有しないので、チャネル情報は必要ない）。これは、必要に応じて送信ダイバーシチ技術を適用して、１つの場所につき１つの及び原則的には１より多いアンテナにより可能である。
【０１４７】
本発明は、本発明を複数アンテナと共に用いるための２つの可能なアプローチを包含する。
【０１４８】
（ａ）協調セルからの追加アンテナを、同一セルからの追加アンテナと同じ方法で用いる。
【０１４９】
この場合、ＬＴＥでは、１Ｔｘアンテナ／セルは、２個の協調セルに対して２Ｔｘアンテナの送信ダイバーシチを可能にする。言い換えると、１個のＴｘアンテナを有する２個のセルの各々は、協調して、２Ｔｘアンテナに基づく送信ダイバーシチスキ―ムを用いることができる。したがって、それぞれ異なるセルからの２個の２Ｔｘアンテナは、両方とも単一のセル内で、２Ｔｘアンテナと同様の方法で用いることができる。
【０１５０】
２Ｔｘアンテナ／セルは、２個の協調セルに対して４Ｔｘアンテナの送信ダイバーシチを可能にする。この場合には、異なるセルからのＣＲＳは、独立して考えられ、それらの対応するアンテナポートのための位相基準として用いられる。
【０１５１】
（ｂ）（少なくともＰＤＣＣＨメッセージの一部について）協調セルから同一の信号を送信する。これは、協調セル間でＳＦＮを用いることと等価である（システムがそのように構成される場合、Ｔｘダイバーシチを含む）。この場合には、位相基準（又は必要に応じて複数の位相基準）は、異なるセル内のＣＲＳから得られた基準を結合することにより得られる。
【０１５２】
＜他の変形例＞
更なる可能な変形例は以下を含む。
【０１５３】
（ｃ）例えば、更なる追加セルを追加することにより、２個より多い協調セルに拡張する。具体的には、３個より多いセルへの拡張は、ＰＤＣＣＨの共通空間の量が減少するために困難である。より多くのセル間の協調の可能性が設定されるとしても（例えば、図９Ａ〜Ｃの３個のセル）、大部分の利益は、２個のセルからの協調送信を用いて得られるものと同様である。
【０１５４】
（ｄ）本発明の原理はＰＨＩＣＨに適用でき、ＵＥへの同一のＰＨＩＣＨ指標が、共通リソースを用いて１より多いセルにより送信できるようになる。ＰＨＩＣＨはＰＤＣＣＨより少ないリソースしか占有しないが、これは、ＰＨＩＣＨ送信の耐性を向上させるために依然として価値がある。
【０１５５】
（ｅ）本発明は、ＰＤＣＣＨとＰＨＩＣＨの両方に同時に適用されても良い（他方で、本発明は、ＰＣＦＩＣＨと共に使用することにはあまり適さない。正確な信号はセルＩＤに依存するので、１より多いセルから同じ信号を送信するための範囲が少ない。）。
【０１５６】
（ｆ）更なる変形例では、ｅＮｏｄｅＢは、他の協調セルからのＣＲＳと干渉し得るＲＥ内での制御チャネル信号の送信を抑制する。言い換えると、共通ＲＥ内の送信の制御に加えて、本発明は、ｅＮｏｄｅＢが少なくとも１つのセルにおいて他のＲＥ内で何を送信するかを対象とするよう拡張されても良い。これは、第１若しくは第２のセル、又は（２個のセルを想定して）両方のセルにより適用され得る。例えば、図１０Ｂでは、セル（ｂ）において「Ｘ」を付されたＲＥ内では送信がない。
【０１５７】
（ｇ）別の可能性は、ＰＤＣＣＨメッセージ内に埋め込まれた参照シンボル（つまり、知られているデータ値）を提供することである。このような参照シンボルは、協調セルにより共同で送信され得る。これは、ＵＥがＣＲＳを用いる必要を回避し、及び／又はｅＮｏｄｅＢがまず第一にＣＲＳを発行する必要を省く可能性がある。しかしながら、本発明は、ＣＲＳ又は同様の信号が存在し上述の問題を生じるときに最も明らかに適用可能である。
【０１５８】
（ｈ）本発明は、１より多い搬送波周波数を実装することにより、搬送波集約に適用されても良い。
【０１５９】
（ｉ）本発明による任意の技術の使用、例えば、ＰＤＣＣＨが２個のセルにより送信されるが、セル間に共通のＲＥでは送信されないこと、複数のセルからの参照シンボルの適切な処理は、所与のシステムにおいて固定されるか又は全てのＵＥに対して恒久的に設定されても良い。しかしながら、このアプローチは、リソースを浪費するので、望ましくない。本発明の使用は、所与のＵＥにとって常に必要ではない。したがって、本発明のネットワークへのシグナリングの使用の可能性は、望ましい。例えば、このようなシグナリングは、ＲＲＣを介した準静的構成又はＰＤＣＣＨを介した動的構成であっても良く、適用されるセルを含んでも良い。シグナリングメッセージは、以下のうちの少なくとも１以上を有しても良い。
【０１６０】
−既に設定されていない場合、Ｐｃｅｌｌ（第１のセルの）ＩＤ
−第２のセルのＩＤ
−任意の他の協調セルのセルＩＤ
−１以上の協調セルからの参照信号に関する情報；実施形態に依存して、この情報は、ＰＤＣＣＨ及び／又はＰＤＳＣＨのＣＲＳ、又はＰＤＳＣＨのＣＳＩ−ＲＳに関連しても良い
−協調セルにより形成された新しいセルのセルＩＤ。このようなセルＩＤは、ＰＤＳＣＨの送信の詳細のような、新しいセルの他の特性を示すために用いられても良い
−新しいセルからの参照信号に関する情報（例えば、位置及びシーケンス）
−どのように新しい位相基準を得るかについての指示（例えば、ＣＲＳについてＵＥで適用されるべき重み又は異なるセルからの他の参照信号を結合する）。
【０１６１】
（ｊ）本発明をＴＤＤに適用することも可能である。上述の説明はＦＤＤに基づくダウンリンクを参照したが、原則は、ＴＤＤの場合にも等しく適用できる。
【０１６２】
纏めると、本発明の実施形態は、共同振幅／位相基準、２個の協調セルからの新しいセル、及び／又は複数のセル及び／又はＬＴＥ−Ａシステムにおける複数の固定ネットワークノード（ｅＮｏｄｅＢ）からモバイル端末（ＵＥ）への制御チャネルのようなチャネルの送信のめのスキームを提供できる。
【０１６３】
ＬＴＥの現在の仕様は、２個のセルからの共同送信を受信するための位相基準の導出、又は２個の協調セルからの新しいセルの生成、又は１より多いセルからのチャネルの協調送信を規定していない。また、ＬＴＥの現在の仕様は、特に、２個の異なるセルからの制御チャネルの同一周波数での協調送信と直接互換性がない。本発明のこの態様は、２つのセル間で共通の幾つかの時間／周波数領域のリソース又は２つのセルから送信される同一の制御チャネルを配置することにより、協調送信が制御チャネル情報の少なくとも一部に対して達成できるという認識に基づく。さらに、適切な場合に本発明の柔軟な動作のために、シグナリングは、共同制御チャネル送信が用いられている場合に、ＵＥに知らせるために必要である。
【０１６４】
言い換えると、本発明の実施形態は、信号の少なくとも一部が第１のセルからのものと同一である場合に、別のセルからの追加制御チャネル信号を用いるために、移動局の設定のためのシグナリングの提供することを含む。
【０１６５】
上述の異なる実施形態の特徴は、同一の実施形態で結合されても良い。さらに、本発明の範囲内で種々の変更が可能である。
【０１６６】
以上にＬＴＥ及びＬＴＥ−Ａに関して説明したが、本発明は、他の種類の無線通信システムにも適用できる。したがって、請求項中の「ユーザ機器」についての言及は、あらゆる種類の加入者局、モバイル端末、等を包含することを意図し、ＬＴＥのＵＥに限定されない。
【０１６７】
上述の本発明の実施形態の態様の何れにおいても、種々の特徴は、ハードウェアで、又は１若しくは複数のプロセッサで動作するソフトウェアモジュールとして実施されても良い。ある態様の特徴は、他の態様の特徴に適用されても良い。
【０１６８】
本発明は、上述の任意の方法を実行するコンピュータプログラム又はコンピュータプログラムプロダクト、及び上述の任意の方法を実行するプログラムを格納しているコンピュータ可読媒体も提供する。
【０１６９】
本発明を実施するコンピュータプログラムは、コンピュータ可読媒体に格納されてもよい。或いは、例えば、インターネットウェブサイトから提供されるダウンロード可能なデータ信号のような信号形式又は任意の他の形式であってもよい。
【０１７０】
明らかに理解されるべきことに、請求の範囲から逸脱することなく、上述の特定の実施形態に種々の変化及び／又は変更が行われ得る。
【産業上の利用可能性】
【０１７１】
現在、ＬＴＥでは、制御チャネル（ＰＤＣＣＨ）のような各チャネルは、１つのサービングセル（プライマリセル又はＰｃｅｌｌ）からＵＥへ送信される。セル境界では、Ｐｃｅｌｌは近隣セルからの増大する干渉に苦しみ、標準的に、データ及び制御チャネルの両方について干渉に対する耐性を増大させるために、低い実効送信レートが用いられる。また、近隣セルは、通常、異なるセルＩＤを与えられる。このセルＩＤは、無線フレームが時間的に揃っている場合でも異なるセルからの送信を区別するための基礎として用いることができる。本発明の実施形態は、２個の異なるセルにおいて送信シンボルの制御チャネルリソースへの共通マッピングを構成することにより、制御チャネル動作を変更し、同一の制御チャネルメッセージ（又はメッセージの一部）が２個のセルから共同で送信できるようにする。これは、より多くの制御チャネルリソ―スを使用することなく、セル境界における制御チャネル受信を改善するために用いることができる。これは、（例えば、データのために共同送信技術を用いる）通常のシステム動作及びＣｏＭＰ（Co-operativeMulti-Point）動作の両方で有益である。
【図１】
0005800033.tif 000002
【図２】
0005800033.tif 000003
【図３】
0005800033.tif 000004
【図４】
0005800033.tif 000005
【図５】
0005800033.tif 000006
【図６】
0005800033.tif 000007
【図７】
0005800033.tif 000008
【図８】
0005800033.tif 000009
【図９Ａ】
0005800033.tif 000010
【図９Ｂ】
0005800033.tif 000011
【図９Ｃ】
0005800033.tif 000012
【図１０Ａ】
0005800033.tif 000013
【図１０Ｂ】
0005800033.tif 000014